(57)【要約】【課題】タンクや容器の形状にあわせた複雑な形状の電極の製作が容易であり、小型軽量化が図れると共に製造コストが安くなるような、タンクや容器内の液体や粉体等の貯蔵レベル等を計測するのに最適な静電容量式又は電気導電度式のセンサ体を提供する。【解決手段】テフロン（登録商標）樹脂（商品名）膜等の絶縁材料からなる２枚のフィルム状体３ａ、３ｂの間に、銅箔等からなる導電性を有する電極体２ａ、２ｂを所要の間隔で配置し、これら２枚の電極体２ａ、２ｂに各々リード線４ａ、４ｂを接続すると共に前記２枚のフィルム状体３ａ、３ｂを互いに密着してフレキシブルな静電容量式センサ体１を形成した。【選択図】図１
2007303982.tif 000002
【特許請求の範囲】
【請求項１】
絶縁材料からなる２枚のフィルム状体の間に、膜状の２枚の電極体を互いに間隔を存して配置し、これら２枚の電極体に各々リード線を接続すると共に前記２枚のフィルム状体を互いに密着させて形成したフレキシブルな静電容量式のセンサ体。
【請求項２】
絶縁材料からなる１枚のフィルム状体の片方の面に、膜状の２枚の電極体を互いに間隔を存して前記フィルム状体に密着させて形成し、これら２枚の電極体に各々リード線を接続して形成したフレキシブルな電気導電度式のセンサ体。
【請求項３】
前記電極体と前記リード線との間に、膜状の可撓性を有する信号処理電気回路部を介在して接続させた請求項１又は請求項２に記載のセンサ体。
【請求項４】
前記電極体は銅等の導電性を有する膜状体からなり、該膜状体を前記フィルム状体に貼り付けて形成されている請求項１又は請求項２に記載のセンサ体。
【請求項５】
前記電極体は銅等の導電性を有する膜状体からなり、該膜状体は前記フィルム状体に印刷又は蒸着又はめっきにより形成されている請求項１又は請求項２に記載のセンサ体。
【請求項６】
前記フィルム状体は、ポリテトラフロロエチレン、又はポリエチレンテレフタレート、又は芳香族ポリイミド又は芳香族ポリアミドからなる請求項１乃至請求項５のいずれか１に記載のセンサ体。
【発明の詳細な説明】
【技術分野】
【０００１】
本発明は、液体または粉体等の入っているタンク容器等の貯蔵レベルや貯蔵量を計測するためのセンサ体に関する。
【背景技術】
【０００２】
タンク等の容器に入っている液体、粉体、粒体などのレベル、容積、量などの測定には、物質の比誘電率や電気導電度を利用したセンサ体が用いられている。
【０００３】
比誘電率を利用したセンサ体としては、静電容量を計測する方式のものとして、金属の棒を絶縁材料で被覆した電極、金属のワイヤを絶縁材料で被覆した電極、又はこれら絶縁された金属電極の外側に筒状の金属パイプを配置したものなどが、タンク内の液体や粉体のレベル計測などに用いられている。
【０００４】
このようなセンサ体の例として、例えば特許文献１がある。
【特許文献１】特開２００３−５７０９３号公報（図１乃至図４）
【発明の開示】
【発明が解決しようとする課題】
【０００５】
従来のこの種のセンサ体は、一般に直線状の金属棒からなり、その構造から形状が限られること、小型軽量化が困難なこと、タンク形状にあわせた複雑な形状の電極を製作することが困難なこと、製造コストが高いこと等の問題点があった。
【０００６】
本発明はこれらの問題点を解消し、タンク形状にあわせた複雑な形状の電極の製作が容易であり、小型軽量化が図れると共に製造コストが安くなるような、タンク内の液体や粉体の貯蔵レベル等を計測するのに最適な静電容量式のセンサ体及び電気導電度式のセンサ体を提供することを目的とする。
【課題を解決するための手段】
【０００７】
本発明は上記の目的を達成すべく、静電容量式のセンサ体として絶縁材料からなる２枚のフィルム状体の間に、膜状の２枚の電極体を互いに間隔を存して配置し、これら２枚の電極体に各々リード線を接続すると共に前記２枚のフィルム状体を互いに密着させて形成されており、又電気導電度式のセンサ体として絶縁材料からなる１枚のフィルム状体の片方の面に、膜状の２枚の電極体を互いに間隔を存して前記フィルム状体に密着させて形成し、これら２枚の電極体に各々リード線を接続して形成されている。
【発明の効果】
【０００８】
本発明によると、センサ体をフィルム状として可撓性を持たせたので、複雑な形状のタンクの内面や狭い場所などに合わせてセンサ体を曲線状に配置し、該タンク内容物の貯蔵レベルや貯蔵量等を精度良く計測することができ、又、電極体を膜状として、フィルム状体の上に貼り付け、印刷、蒸着、又はめっき等の方法により形成するようにしたので、用途に合った複雑な形状の電極体からなるセンサ体を精度良く安価に大量生産することができると共に、電極体の形状を所要のパターンに形成することによって信号処理電気回路部の簡素化を行なうことができる効果を有する。
【発明を実施するための最良の形態】
【０００９】
本発明を実施するための最良の形態の実施例を以下に示す。
【実施例１】
【００１０】
本発明の実施例１を図１乃至図４により説明する。
【００１１】
図１は本発明のフレキシブルな静電容量式のセンサ体１の斜視図であり、一部をカットして示した。
【００１２】
２ａ及び２ｂは膜状の電極体で、例えば銅箔などの導電体からなり、本実施例においては各々縦長の長方形に形成され、所要の間隔Ａを存して配置されている。
【００１３】
３ａ及び３ｂは絶縁材料例えばポリテトラフロロエチレン［商品名テフロン（登録商標）］又はポリエチレンテレフタレート［商品名マイラ］又は芳香族ポリイミド又は芳香族ポリアミドのフィルム状体で、可撓性を有している。
【００１４】
前記電極体２ａ、２ｂはこれらフィルム状体３ａ、３ｂ間に挟まれて貼着されており、外部との電気的絶縁が施されている。
【００１５】
尚、これら電極体２ａ、２ｂには、それぞれリード線４ａ又は４ｂが接続されていて、信号増幅器等の電気回路に接続している。
【００１６】
このように静電容量式のセンサ体１は可撓性を有し、フレキシブルに形成されている。
【００１７】
図２は静電容量式のセンサ体１を変形容器５の外周部に密着させて設置した例を示す。
【００１８】
即ち、変形容量５内の被測定物のレベル上昇に伴う静電容量の増加を静電容量式のセンサ体１にて計測する。
【００１９】
図３は静電容量式のセンサ体１を丸めて細口のガラスビン６に挿入して設置する例を示す。
【００２０】
このようにフレキシブルな静電容量式のセンサ体１は、従来は困難であった各種形状のタンクや容器のレベルセンサに適用することができる。
【００２１】
尚、図４に示す如く、フレキシブルな静電容量式のセンサ体１の電極体２ａ、２ｂの１部リード線とリード線４ａ、４ｂとの間に可撓性を有する信号処理電気回路部７を介在させて接続し、フレキシブルな静電容量式のセンサ体１´を形成し、該センサ体１´において検出信号を信号処理をするようにしてもよい。
【実施例２】
【００２２】
本発明の実施例２を図５乃至図７により説明する。
【００２３】
図５は本発明のフレキシブルな電気導電度式のセンサ体１１の斜視図である。
【００２４】
１２ａ及び１２ｂは膜状の電極で、例えば銅箔などの導電体からなり、絶縁材料例えばポリテトラフロロエチレン［商品名テフロン（登録商標）］又はポリエチレンテレフタレート［商品名マイラ］又は芳香族ポリイミド又は芳香族ポリアミドのフィルム状体１３ａの片方の面に密着して形成されている。
【００２５】
尚、前記電極体１２ａ、１２ｂは、該フィルム状体１３ａの上面に貼り付け、印刷、蒸着、又はメッキにより形成される。
【００２６】
これら電極体１２ａ、１２ｂには、それぞれリード線１４ａ又は１４ｂが接続されている。
【００２７】
このように電気導電度式のセンサ体１１も可撓性を有し、フレキシブルに形成されている。
【００２８】
電気導電度式のセンサ体１１は、導電性を有する液体等のレベルセンサとして使用する。
【００２９】
図６及び図７に、電気導電度式のセンサ体１１を流量計測用三角せきの流量計測に用いた例を示す。
【００３０】
本実施例では、電極体１２ｂ´の形状を放物線状として、指示計１７が流量に比例した指示をするように形成した。
【００３１】
即ち、三角せきを用いた流量計の場合、せきをこえる水の高さｈに対し流量Ｑは式（１）で表わされる。
Ｑ＝α×ｈ２．５      …式（１）
【００３２】
従来は、式（１）を用いて流量を求めるために、複雑な電気回路やマイクロコンピュータによる演算回路等を用いていたが、本発明のセンサ体のように電極１２ｂ´の形状を適切に形成することによって、簡単な電気回路のみで流量Ｑを知ることができる。
【００３３】
尚、１６は増幅回路を示す。
【産業上の利用可能性】
【００３４】
本発明は、複雑な形状のタンクや容器内の流体又は粉体等のレベルを計測するセンサに用いられる。
【図面の簡単な説明】
【００３５】
【図１】実施例１の静電容量式センサ体の斜視図である。
【図２】同上静電容量式センサ体の使用例の説明図である。
【図３】同上静電容量式センサ体の他の使用例の説明図である。
【図４】同上静電容量式センサ体の又他の例の斜視図である。
【図５】実施例２の電気導電度式センサ体の斜視図である。
【図６】同上電気導電度式センサ体の使用例の説明図である。
【図７】同上電気導電度式センサ体の構造の説明図である。
【符号の説明】
【００３６】
１、１´                              静電容量式センサ体
２ａ、２ｂ、１２ａ、１２ｂ、１２ｂ´  電極体
３ａ、３ｂ、１３ａ                    フィルム状体
４ａ、４ｂ、１４ａ、１４ｂ            リード線
７、１６                              信号処理電気回路部
１１                                  電気導電度式センサ体
【図１】
2007303982.tif 000003
【図２】
2007303982.tif 000004
【図３】
2007303982.tif 000005
【図４】
2007303982.tif 000006
【図５】
2007303982.tif 000007
【図６】
2007303982.tif 000008
【図７】
2007303982.tif 000009